(57)【特許請求の範囲】
【請求項１】
検出領域における人の存否を検出し、当該検出結果に応じて商用交流電源から蛍光灯照明器具への給電を入切する人体検出型自動スイッチであって、
個体発光素子を光源とする照明負荷と、検出領域における人の存在を検出したときに人体検出信号を出力する人体検出手段と、周囲の明るさを検出する明るさ検出手段と、商用交流電源から蛍光灯照明器具への給電路を開閉する開閉素子と、時刻を計時する時計手段と、手動による操作入力を受け付ける操作入力受付手段と、開閉素子の開閉を制御することで蛍光灯照明器具を点灯及び消灯するとともに照明負荷の点灯／消灯を制御する制御手段とを備え、
制御手段は、明るさ検出手段の検出した明るさが所定の点灯開始照度よりも明るい状況では人体検出手段から人体検出信号が出力されても開閉素子を閉成せず且つ照明負荷を点灯させず、明るさ検出手段の検出した明るさが前記点灯開始照度より暗く且つ時計手段で計時する現在時刻が予め決められた深夜時間帯に含まれない状況では人体検出手段から人体検出信号が出力されたときに所定の動作保持時間だけ開閉素子を閉成して蛍光灯照明器具を点灯させるとともに照明負荷を点灯させず、明るさ検出手段の検出した明るさが前記点灯開始照度より暗く且つ時計手段で計時する現在時刻が前記深夜時間帯に含まれる状況では人体検出手段から人体検出信号が出力されたときに前記動作保持時間だけ照明負荷を点灯させるとともに開閉素子を閉成しないものであって、さらに、人体検出手段の検出結果と明るさ検出手段で検出される明るさと時計手段で計時する時刻に基づいて開閉素子及び照明負荷を制御する前記動作モード、強制的に開閉素子を閉成する動作モード、強制的に照明負荷を点灯する動作モード、強制的に開閉素子を開成し且つ照明負荷を消灯する動作モードの何れかに、操作入力受付手段で受け付ける操作入力に応じて択一的に切り換えられることを特徴とする人体検出型自動スイッチ。
【請求項２】
制御手段は、操作入力受付手段で受け付ける操作入力に応じて、点灯開始照度と動作保持時間と深夜時間帯の少なくとも何れか一つを調整可能であることを特徴とする請求項１記載の人体検出型自動スイッチ。
【請求項３】
制御手段は、明るさ検出手段の検出した明るさが点灯開始照度より暗く且つ時計手段で計時する現在時刻が予め決められた深夜時間帯に含まれない状況で人体検出手段から人体検出信号が出力されていないときに照明負荷を点灯させることを特徴とする請求項１又は２記載の人体検出型自動スイッチ。
【請求項４】
信号線を介して外部から伝送される人体検出信号を受信する受信手段を備え、制御手段は、人体検出手段から人体検出信号が出力されるか若しくは前記受信手段で人体検出信号を受信したときに開閉素子を閉成又は照明負荷を点灯することを特徴とする請求項１〜３の何れかに記載の人体検出型自動スイッチ。
【請求項５】
検出領域における人の存在を検出したときに人体検出信号を出力する人体検出手段が天井に配設される器体に収納されてなるセンサ子機が信号線を介して受信手段と接続されることを特徴とする請求項４記載の人体検出型自動スイッチ。
【請求項６】
個体発光素子を光源とする外部照明負荷が給電線を介して接続され、制御手段は、照明負荷を点灯する場合に給電線を介して外部照明負荷にも給電し、照明負荷を消灯する場合に外部照明負荷への給電を停止することを特徴とする請求項１〜５の何れかに記載の人体検出型自動スイッチ。
【請求項７】
商用交流電源が接続される一対の電源端子と、一方の電源端子に開閉素子を介して接続される第１の負荷端子と、他方の電源端子と接続される第２の負荷端子と、第１の負荷端子が接続された一方の電源端子に接続される第３の負荷端子とを備えたことを特徴とする請求項１〜６の何れかに記載の人体検出型自動スイッチ。
【発明の詳細な説明】
【技術分野】
【０００１】
本発明は、検出領域における人の存否を検出し、当該検出結果に応じて商用交流電源から蛍光灯照明器具への給電を入切する人体検出型自動スイッチに関するものである。
【背景技術】
【０００２】
従来より、人体から放射される熱線を熱線センサで検出することによって検出領域における人の存否を検出し、当該検出結果に応じて商用交流電源から照明負荷（白熱灯照明器具あるいは蛍光灯照明器具）への給電を入切する人体検出型自動スイッチが提供されている（特許文献１参照）。かかる人体検出型自動スイッチは、例えば、住宅内の廊下や玄関に設置され、周囲が暗い状況で人の存在を検出したときに照明負荷を点灯させて廊下や玄関を照明し、人の存在が検出されなくなってから一定時間が経過したら照明負荷を自動的に消灯することで省エネルギ化が図れるものである。
【特許文献１】特開２００３−２４９１５２公報
【発明の開示】
【発明が解決しようとする課題】
【０００３】
ところが、上記従来例には次のような問題があった。例えば、就寝していた人が深夜にトイレに行った場合、廊下を歩く人が自動スイッチに検出されて照明負荷が自動的に点灯すると、真っ暗な状態から急激に明るくなるために非常に眩しく感じられるという問題があった。かかる問題に対して、照明負荷が白熱灯照明器具の場合には照明負荷への給電を位相制御することで白熱灯を調光することにより眩しさを和らげることが可能でる。しかしながら、照明負荷が蛍光灯照明器具の場合、白熱灯照明器具のように給電を位相制御する方法では調光することができず、例えば、蛍光灯照明器具に対して調光信号を出力する調光器を備える必要があり、回路構成が複雑になってコストが非常に高くなって実用的ではない。
【０００４】
本発明は上記事情に鑑みて為されたものであり、その目的は、蛍光灯照明器具の点灯／消灯を切り換える場合においても回路構成の複雑化によるコスト上昇を抑制しつつ眩しさ感を和らげることができる人体検出型自動スイッチを提供することにある。
【課題を解決するための手段】
【０００５】
請求項１の発明は、上記目的を達成するために、検出領域における人の存否を検出し、当該検出結果に応じて商用交流電源から蛍光灯照明器具への給電を入切する人体検出型自動スイッチであって、個体発光素子を光源とする照明負荷と、検出領域における人の存在を検出したときに人体検出信号を出力する人体検出手段と、周囲の明るさを検出する明るさ検出手段と、商用交流電源から蛍光灯照明器具への給電路を開閉する開閉素子と、時刻を計時する時計手段と、手動による操作入力を受け付ける操作入力受付手段と、開閉素子の開閉を制御することで蛍光灯照明器具を点灯及び消灯するとともに照明負荷の点灯／消灯を制御する制御手段とを備え、制御手段は、明るさ検出手段の検出した明るさが所定の点灯開始照度よりも明るい状況では人体検出手段から人体検出信号が出力されても開閉素子を閉成せず且つ照明負荷を点灯させず、明るさ検出手段の検出した明るさが前記点灯開始照度より暗く且つ時計手段で計時する現在時刻が予め決められた深夜時間帯に含まれない状況では人体検出手段から人体検出信号が出力されたときに所定の動作保持時間だけ開閉素子を閉成して蛍光灯照明器具を点灯させるとともに照明負荷を点灯させず、明るさ検出手段の検出した明るさが前記点灯開始照度より暗く且つ時計手段で計時する現在時刻が前記深夜時間帯に含まれる状況では人体検出手段から人体検出信号が出力されたときに前記動作保持時間だけ照明負荷を点灯させるとともに開閉素子を閉成しないものであって、さらに、人体検出手段の検出結果と明るさ検出手段で検出される明るさと時計手段で計時する時刻に基づいて開閉素子及び照明負荷を制御する前記動作モード、強制的に開閉素子を閉成する動作モード、強制的に照明負荷を点灯する動作モード、強制的に開閉素子を開成し且つ照明負荷を消灯する動作モードの何れかに、操作入力受付手段で受け付ける操作入力に応じて択一的に切り換えられることを特徴とする。
【０００６】
請求項２の発明は、請求項１の発明において、制御手段は、操作入力受付手段で受け付ける操作入力に応じて、点灯開始照度と動作保持時間と深夜時間帯の少なくとも何れか一つを調整可能であることを特徴とする。
【０００７】
請求項３の発明は、請求項１又は２の発明において、制御手段は、明るさ検出手段の検出した明るさが点灯開始照度より暗く且つ時計手段で計時する現在時刻が予め決められた深夜時間帯に含まれない状況で人体検出手段から人体検出信号が出力されていないときに照明負荷を点灯させることを特徴とする。
【０００８】
請求項４の発明は、請求項１〜３の何れかの発明において、信号線を介して外部から伝送される人体検出信号を受信する受信手段を備え、制御手段は、人体検出手段から人体検出信号が出力されるか若しくは前記受信手段で人体検出信号を受信したときに開閉素子を閉成又は照明負荷を点灯することを特徴とする。
【０００９】
請求項５の発明は、請求項４の発明において、検出領域における人の存在を検出したときに人体検出信号を出力する人体検出手段が天井に配設される器体に収納されてなるセンサ子機が信号線を介して受信手段と接続されることを特徴とする。
【００１０】
請求項６の発明は、請求項１〜５の何れかの発明において、個体発光素子を光源とする外部照明負荷が給電線を介して接続され、制御手段は、照明負荷を点灯する場合に給電線を介して外部照明負荷にも給電し、照明負荷を消灯する場合に外部照明負荷への給電を停止することを特徴とする。
【００１１】
請求項７の発明は、請求項１〜６の何れかの発明において、商用交流電源が接続される一対の電源端子と、一方の電源端子に開閉素子を介して接続される第１の負荷端子と、他方の電源端子と接続される第２の負荷端子と、第１の負荷端子が接続された一方の電源端子に接続される第３の負荷端子とを備えたことを特徴とする。
【発明の効果】
【００１２】
請求項１の発明によれば、一般に発光ダイオードのような固体発光素子を光源とする照明負荷の光量は蛍光灯照明器具の光量に比べて十分に小さいから、例えば、深夜の時間帯では蛍光灯照明器具の代わりに照明負荷を点灯することで眩しさ感を和らげることができ、しかも、固体発光素子を点灯する回路は蛍光灯照明器具を調光する回路に比べて簡単な構成であるから、蛍光灯照明器具を調光する場合に対して回路構成の複雑化によるコスト上昇を抑制することが可能である。さらに、手動操作により状況に応じた動作モードが選択できて使い勝手が向上する。
【００１３】
請求項２の発明によれば、状況に応じて点灯開始照度、動作保持時間、深夜時間帯の少なくとも何れかが調整できて使い勝手が向上する。
【００１４】
請求項３の発明によれば、周囲が暗い状況（例えば、夜間）において、人が検出されている状況では蛍光灯照明器具を点灯して明るく照明し、人が検出されていない状況では蛍光灯照明器具の代わりに照明負荷を点灯させることで省エネルギ化を図りつつ安心感を与えることができる。
【００１５】
請求項４の発明によれば、人の存否を検出する検出領域を拡げることができる。
【００１６】
請求項５の発明によれば、請求項４の発明と同様の効果を奏する。
【００１７】
請求項６の発明によれば、照明負荷による照明範囲を拡げることができる。
【００１８】
請求項７の発明によれば、３路スイッチのように多箇所から蛍光灯照明器具の点灯／消灯を切り換えることができる。
【発明を実施するための最良の形態】
【００１９】
（実施形態１）
図１に本実施形態の回路ブロック図を示す。人感センサ部２は、人体から放射される熱線を焦電型の熱線センサで検出するとともに内蔵するアンプで増幅し、さらに増幅された出力を内蔵するコンパレータで基準値と比較して当該出力が基準値を上回る場合、すなわち、検出領域内に人が存在する場合にＨレベルの人体検出信号を制御回路部１へ出力する。なお、人感センサ部２の検出領域は、熱線センサへの熱線の入射経路に配置したレンズ、ミラー、遮光板などの光学素子により設定される。また明るさセンサ部３は、フォトダイオードや太陽電池等の光電変換素子を用いて周囲の明るさに応じた信号を制御回路部１に出力する。
【００２０】
制御回路部１はマイクロコンピュータを主構成要素とするものであって、明るさセンサ部３の出力信号をＡ／Ｄコンバータでデジタル値に変換して取り込み、後述するように明るさ設定部８により設定されるしきい値（点灯開始照度）と比較することで周囲の明るさ（周囲照度）が点灯開始照度よりも明るいか又は暗いかの判定を行っている。
【００２１】
また制御回路部１は、駆動部５を介してリレーなどの開閉素子４を開閉させる機能を有している。開閉素子４は商用交流電源ＡＣを接続する一対の電源端子Ｔ１，Ｔ２と、蛍光灯照明器具Ｌを接続する負荷端子Ｔ３，Ｔ４との間（すなわち電源端子Ｔ１と負荷端子Ｔ４との間）に接続されている。したがって、制御回路部１が駆動部５を制御して開閉素子４を閉成（オン）すれば、商用交流電源ＡＣから給電された蛍光灯照明器具Ｌが点灯し、開閉素子４が開成（オフ）すれば、商用交流電源ＡＣからの給電が停止して蛍光灯照明器具Ｌが消灯するのである。また、電源端子Ｔ１，Ｔ２には商用交流電源ＡＣを受けて直流定電圧を発生する直流安定化電源６が接続されており、直流安定化電源６により内部回路へ動作電源が供給される。
【００２２】
さらに、電源端子t１，t２にはスイッチＳを介してＬＥＤ点灯部１１並びに個体発光素子たる発光ダイオードＬＤが接続されている。発光ダイオードＬＤは白色光を発するものであって、例えば、青色発光ダイオードチップと黄色を発する蛍光物質が含まれた透光性カバー等を有し青色と黄色を混色することで白色の光を放射するものである。ＬＥＤ点灯部１１は商用交流電源ＡＣから供給される交流電圧を降圧し且つ整流することで発光ダイオードＬＤに直流電圧を印加して発光（点灯）させるものであって、制御回路部１によりスイッチＳがオンされているときにのみ発光ダイオードＬＤが点灯する。但し、発光ダイオードＬＤの代わりに有機ＥＬ素子等の他の種類の個体発光素子を用いることも可能である。
【００２３】
制御回路部１の基本的な動作は、明るさセンサ部３の検出した明るさが点灯開始照度よりも暗い状態で、人感センサ部２が検出領域内に人を検出して人体検出信号が出力されると、駆動部５を介して開閉素子４を閉成することにより蛍光灯照明器具Ｌを点灯させる動作であって、蛍光灯照明器具Ｌが点灯する時間（この時間を動作保持時間と言う）は制御回路部１により構成されるタイマ手段によって限時される。タイマ手段は、人体検出信号が制御回路部１に入力される毎に所定の動作保持時間を限時するものであり、所謂リトリガブル機能を有している。すなわち、動作保持時間の限時動作が終了するまでに人体検出信号が入力されると、動作保持時間を再度最初から限時しなおすことで、蛍光灯照明器具Ｌの点灯時間を延長するようになっている。尚、動作保持時間は、動作保持時間設定部９により調節が可能である。
【００２４】
また、制御回路部１には時刻を計時する時計部１０の出力が取り込まれている。制御回路部１は、時計部１０の出力、すなわち現在時刻が予め設定される深夜時間帯（例えば、午前０時から午前４時までの時間帯）に含まれるとき、明るさセンサ部３の検出した明るさが点灯開始照度よりも暗い状態で、人感センサ部２が検出領域内に人を検出して人体検出信号が出力されると、スイッチＳをオンすることによりＬＥＤ点灯部１１に給電して動作保持時間だけ発光ダイオードＬＤを点灯させる。このとき、制御回路部１は駆動部５を介して開閉素子４を閉成する動作は行わず、蛍光灯照明器具Ｌを点灯しない。尚、深夜時間帯は、深夜時間帯設定部１３により調節が可能である。
【００２５】
さらに制御回路部１は、動作モード設定部７を用いて自動モード、切モード、連続入モードの３つの動作モードに切換可能となっており、自動モードに設定された場合、人感センサ部２及び明るさセンサ部３の検出結果に応じて自動的に蛍光灯照明器具Ｌ並びに発光ダイオードＬＤの点灯／消灯を制御する。また、動作モードが切モード又は連続入モードに設定された場合、制御回路部１は各センサ部２，３の検出結果と無関係に蛍光灯照明器具Ｌ（あるいは、蛍光灯照明器具Ｌと発光ダイオードＬＤ）を強制的に消灯又は点灯させる。
【００２６】
また、明るさ設定部８を用いて、明るさのしきい値（点灯開始照度）を明（約８０ルクス以下）、暗（約２０ルクス以下）の２段階に切り換えたり、明るさセンサ部３の検出結果と無関係に人感センサ部２の人体検出信号のみに基づいて蛍光灯照明器具Ｌ並びに発光ダイオードＬＤを点滅制御するように設定することもできる。すなわち、本実施形態においては動作モード設定部７、明るさ設定部８、動作保持時間設定部９、深夜時間帯設定部１３がそれぞれ操作入力受付手段に相当し、各設定部７，８，９，１３の設定値（操作入力）が制御回路部１に取り込まれる。
【００２７】
次に図２及び図３を参照して本実施形態の構造を説明する。上述した各部を構成する電子部品がプリント配線板に実装されて箱形の合成樹脂成形品からなる器体２０内に収納される。器体２０は、ワイドハンドル形単用スイッチ（ＪＩＳ  Ｃ８３０４の付図４参照）に対応する寸法に形成され、図示しない取付枠を用いて壁面等に設けられた埋込孔に器体の後端部を埋め込む形で埋込配設される。但し、取付枠の前面はＪＩＳ  Ｃ８３１６に規定されるフラッシプレート（ワイドハンドル形スイッチプレート）５０によって覆われる。
【００２８】
器体２０前面の上部には、可視光や赤外線（熱線）に対して透過性を有し、外部の光（熱線を含む）を人感センサ部２や明るさセンサ部３の受光面に集光するためのレンズ体２１が配置され、器体２０の内部にはレンズ体２１に臨むようにして人感センサ部２や明るさセンサ部３が配置されている。また、器体２０前面のレンズ体２１の下部中央に角孔状の挿通孔２２が形成され、この挿通孔２２から上述した動作モード設定部７を構成するスライド式の切替スイッチのスライド釦２３が露出する。さらに、器体２０前面の中央部には、動作保持時間設定部９、明るさ設定部８、深夜時間帯設定部１３の設定用の操作摘み２４，２５，２６が露設されている（図３参照）。動作保持時間設定部９は回転ボリュームで構成されており、回転ボリュームの操作摘み２４を回転させることで回転ボリュームの抵抗値に応じて動作保持時間を切り換えることができる。また明るさ設定部８は回転式の切換スイッチで構成されており、切換スイッチの操作摘み２５を操作することで点灯開始照度を明と暗の２段階に切り換えることができる。さらに深夜時間帯設定部１３も回転ボリュームで構成されており、回転ボリュームの操作摘み２６を回転させることで回転ボリュームの抵抗値に応じて、予め用意されている数種類の深夜時間帯を択一的に切り換えることができる。ここで、動作保持時間設定部９、明るさ設定部８、深夜時間帯設定部１３の設定用の操作摘み２４，２５，２６は頻繁に操作されるものではないから、本実施形態では操作摘み２４〜２６が誤って操作されるのを防止するために、操作摘み２４〜２６が配置された器体２０前面の中央部分を扉体２７によって開閉自在に覆う構造としている。扉体２７は、右側の端部で器体２０前面に回動自在に枢着されており、閉じた状態では操作摘み２４〜２６を覆い隠して操作摘み２４〜２６の誤操作を防止し（図２参照）、開いた状態では操作摘み２４〜２６を露出させて操作可能とする（図３参照）。
【００２９】
器体２０前面の下部には、発光ダイオードＬＤを露出する窓孔（図示せず）が開口しており、この窓孔を含む器体２０前面下部を覆う透光カバー１４が取り付けられている。この透光カバー１４は、拡散材を含有した透明な合成樹脂材料（例えば、アクリル樹脂など）で形成され、発光ダイオードＬＤから放射される光を拡散して照射範囲を拡大させている。
【００３０】
ところで本実施形態においては、センサ子機１００，２００から伝送される人体検出信号を受信する人体検出信号受信部１２が制御回路部１に接続されている（図１参照）。人体検出信号受信部１２は、センサ子機端子Ｔ５，Ｔ６に接続されるセンサ子機接続線Ｌｓを介してセンサ子機１００，２００から伝送される人体検出信号を受信して制御回路部１に渡す機能と、センサ子機接続線Ｌｓに直流電圧を重畳させてセンサ子機１００，２００に動作電源を供給する機能とを有している。
【００３１】
センサ子機１００は、図４（ａ）に示すようにセンサ子機接続線Ｌｓに重畳された直流電圧を安定化して動作電源を作成する電源部１０１と、本実施形態の自動スイッチ（親機）の人感センサ部２と同じ構成の人感センサ部１０２と、人感センサ部１０２から出力する人体検出信号をセンサ子機接続線Ｌｓを介して親機に伝送する人体検出信号送信部１０３とを備えている。センサ子機１００の器体１１０は、図５に示すように下側に円盤状のフランジ部１１０ａを有する有底筒状の合成樹脂成形品からなり、天井に設けられた埋込孔にフランジ部１１０ａを除く部位が埋め込まれる形で収納され、フランジ部１１０ａの上面側に固定されている一対の取付金具１１１，１１１とフランジ部１１０ａとの間で天井材を挟んで天井に取り付けられる。ここで、フランジ部１１０ａの下面中央には人感センサ部１０１及び明るさセンサ部１０２に可視光及び熱線を集光するためのレンズ１１２が設けられている。但し、取付金具１１１を含むセンサ子機１００の構造は従来周知であるから、詳細な説明は省略する。
【００３２】
一方、センサ子機２００は、図４（ｂ）に示すように制御回路部２０１、人感センサ部２０２、明るさセンサ部２０３、発光ダイオードＬＤ、時計部２０４、ＬＥＤ点灯部２０５を備えているが、これらは各々親機の制御回路部１、人感センサ部２、明るさセンサ部３、時計部１０、ＬＥＤ点灯部１１と同じ構成であるから詳細な説明は省略する。センサ子機接続線Ｌｓが制御回路部２０１に接続されており、明るさセンサ部２０３の検出した明るさが点灯開始照度よりも暗い状態で、人感センサ部２０２が検出領域内に人を検出して人体検出信号が出力されると、制御回路部２０１がセンサ子機接続線Ｌｓを介して親機に人体検出信号を伝送する。さらに、制御回路部２０１は、時計部２０４の出力、すなわち現在時刻が予め設定される深夜時間帯（例えば、午前０時から午前４時までの時間帯）に含まれるとき、明るさセンサ部２０３の検出した明るさが点灯開始照度よりも暗い状態で、人感センサ部２０２が検出領域内に人を検出して人体検出信号が出力されると、スイッチＳをオンすることによりセンサ子機接続線Ｌｓを介してＬＥＤ点灯部２０５に給電して動作保持時間だけ発光ダイオードＬＤを点灯させる。ここで、センサ子機２００における深夜時間帯の設定は、センサ子機接続線Ｌｓを介して親機から行うことが可能である。なお、図６に示すようにセンサ子機２００の器体２１０は親機の器体２０と基本的に同一であるが、動作モード設定部７のスライド釦２３、動作保持時間設定部９と明るさ設定部８と深夜時間帯設定部１３の各操作摘み２４〜２６並びに扉体２７が器体２１０前面に設けられていない点が異なる。
【００３３】
而して、一般に発光ダイオードＬＤの光量は蛍光灯照明器具Ｌの光量に比べて十分に小さいから、上述のように深夜時間帯では蛍光灯照明器具Ｌの代わりに発光ダイオードＬＤを点灯することで眩しさ感を和らげることができる。しかも、発光ダイオードＬＤを発光させるＬＥＤ点灯部１１は蛍光灯照明器具Ｌを調光する回路に比べて簡単な構成であるから、蛍光灯照明器具Ｌを調光する場合に対して回路構成の複雑化によるコスト上昇を抑制することが可能である。また、自動モード、切モード、連続入モードの３種類の動作モードを動作モード設定部７によって切換可能としているので、手動操作により状況に応じた動作モードが選択できて使い勝手が向上するという利点がある。さらに、明るさ設定部８、動作保持時間設定部９、深夜時間帯設定部１３により点灯開始照度、動作保持時間、深夜時間帯が調節可能であることからも使い勝手の向上が図れる。また、上述のようにセンサ子器接続線Ｌｓを介して親機に接続された子機１００，２００から人体検出信号が伝送されてきた場合、親機の人感センサ部２から人体検出信号が出力された場合と同様に蛍光灯照明器具Ｌ及び発光ダイオードＬＤが点灯されるので、人の存否を検出する検出領域を拡大して使い勝手を向上することができる。しかも、子機２００は発光ダイオードＬＤを備えているから、深夜時間帯において照明される範囲を拡げることができるという利点もある。
【００３４】
ところで、深夜時間帯に含まれない時間帯において、明るさセンサ部３の検出した明るさが点灯開始照度よりも暗く且つ人感センサ部２が検出領域内に人を検出せずに人体検出信号が出力されていない状況で、制御回路部１がスイッチＳをオンしてＬＥＤ点灯部１１に給電し発光ダイオードＬＤを点灯させるとともに、人感センサ部２から人体検出信号が出力されたらスイッチＳをオフして発光ダイオードＬＤを消灯するとともに開閉素子４を閉成して蛍光灯照明器具Ｌを点灯させるようにしても構わない。このようにすれば、周囲が暗い状況（例えば、夜間）において、人が検出されている状況では蛍光灯照明器具Ｌを点灯して明るく照明し、人が検出されていない状況では蛍光灯照明器具Ｌの代わりに発光ダイオードＬＤを点灯させることで省エネルギ化を図りつつ安心感を与えることができる。なお、人感センサ部２から人体検出信号が出力された場合、制御回路部１がスイッチＳをオフして発光ダイオードＬＤを消灯する代わりに、ＬＥＤ点灯部１１を制御して発光ダイオードＬＤの光量を減少させるようにしても構わない。
【００３５】
（実施形態２）
本実施形態の回路ブロック図を図７に示す。但し、基本的な構成は実施形態１と共通であるから、共通の構成要素には同一の符号を付して説明を省略する。
【００３６】
本実施形態は、ＬＥＤ点灯部１１と並列に接続された一対の給電端子Ｔ７，Ｔ８を備え、これら一対の給電端子Ｔ７，Ｔ８に給電線Ｌｐを介して照明増設器３００が接続される点に特徴があり、制御回路部１によりスイッチＳがオンされたときに給電端子Ｔ７，Ｔ８を介して商用交流電源ＡＣから照明増設器３００に交流電力が給電される。
【００３７】
照明増設器３００は、外部照明負荷たる発光ダイオードＬＤと、発光ダイオードＬＤを点灯するＬＥＤ点灯部３０１とを備え、給電線Ｌｐを介して給電される交流電力によりＬＥＤ点灯部３０１が発光ダイオードＬＤを点灯するように構成されている。
【００３８】
照明増設器３００の器体３０２は、図８に示すように発光ダイオードＬＤを露出する窓孔（図示せず）が前面に開口し、この窓孔を含む器体３０２前面を覆う透光カバー３０３が取り付けられている。透光カバー３０３は、拡散材を含有した透明な合成樹脂材料（例えば、アクリル樹脂など）で形成され、発光ダイオードＬＤから放射される光を拡散して照射範囲を拡大させている。
【００３９】
而して、本実施形態によれば親機の発光ダイオードＬＤと同時に照明増設器３００の発光ダイオードＬＤが点灯することで深夜時間帯における照明範囲を拡げることができる。
【００４０】
（実施形態３）
本実施形態の回路ブロック図を図９に示す。本実施形態は、一方の電源端子Ｔ１と接続された第３の負荷端子９を備えた点に特徴があり、その他の構成については実施形態１と共通であるから同一の符号を付して説明を省略する。
【００４１】
本実施形態の自動スイッチＡ１，Ａ２は、例えば２階建住戸の階段における階上と階下に各々設置され、階上の自動スイッチＡ１の電源端子Ｔ１，Ｔ２に商用交流電源ＡＣが接続され、階下の自動スイッチＡ２の電源端子Ｔ１が蛍光灯照明器具Ｌを介して階上の自動スイッチＡ１の電源端子Ｔ２に接続され、階上及び階下の自動スイッチＡ１，Ａ２の負荷端子Ｔ４と第３の負荷端子９が互いに接続されるとともに、階上の自動スイッチＡ１の負荷端子Ｔ３と階下の自動スイッチＡ２の電源端子Ｔ２が接続される。
【００４２】
すなわち、階上で人が検出されて自動スイッチＡ１の制御回路部１が開閉素子４を閉成すると、商用交流電源ＡＣ〜自動スイッチＡ１の電源端子Ｔ１〜自動スイッチＡ１の開閉素子４〜自動スイッチＡ１の負荷端子Ｔ４〜自動スイッチＡ２の第３の負荷端子９〜自動スイッチＡ２の電源端子Ｔ１〜蛍光灯照明器具Ｌ〜商用交流電源ＡＣの閉ループが形成されて蛍光灯照明器具Ｌが点灯する。一方、階下で人が検出されて自動スイッチＡ２の制御回路部１が開閉素子４を閉成すると、商用交流電源ＡＣ〜自動スイッチＡ１の電源端子Ｔ１〜自動スイッチＡ１の第３の負荷端子９〜自動スイッチＡ２の負荷端子Ｔ４〜自動スイッチＡ２の開閉素子４〜自動スイッチＡ２の電源端子Ｔ１〜蛍光灯照明器具Ｌ〜商用交流電源ＡＣの閉ループが形成されて蛍光灯照明器具Ｌが点灯する。
【００４３】
而して本実施形態では、子機１００，２００を使わずに２台の自動スイッチＡ１，Ａ２を用いて３路スイッチのように多箇所から蛍光灯照明器具Ｌの点灯／消灯を切り換えることができる。
【図面の簡単な説明】
【００４４】
【図１】実施形態１の回路ブロック図である。
【図２】同上の扉体を閉じた正面図である。
【図３】同上の扉体を外した正面図である。
【図４】（ａ）（ｂ）は同上における子機の回路ブロック図である。
【図５】同上における天井取付形の子機を示し、（ａ）は正面図、（ｂ）は下面図である。
【図６】同上における壁取付形の子機を示す正面図である。
【図７】実施形態２の回路ブロック図である。
【図８】同上における壁取付形の子機の正面図である。
【図９】実施形態３の回路ブロック図である。
【符号の説明】
【００４５】
１  制御回路部
２  人感センサ部
３  明るさセンサ部
４  開閉素子
５  駆動部
６  直流安定化電源
７  動作モード設定部
８  明るさ設定部
９  動作保持時間設定部
１０  時計部
１１  ＬＥＤ点灯部
１２  人体検出信号受信部
１３  深夜時間帯設定部
【図１】
0004654924.tif 000002
【図２】
0004654924.tif 000003
【図３】
0004654924.tif 000004
【図４】
0004654924.tif 000005
【図５】
0004654924.tif 000006
【図６】
0004654924.tif 000007
【図７】
0004654924.tif 000008
【図８】
0004654924.tif 000009
【図９】
0004654924.tif 000010